(57)【要約】【課題】任意のタイミングで棒金の在り高を検出することができる棒金保管庫の提供。【解決手段】筐体と、筐体に対し引き出しおよび収納可能に設けられるとともに、全金種の棒金をセット可能なセット部Ｓを複数有する棒金トレイ５１と、棒金トレイ５１のすべてのセット部Ｓに設けられて棒金の有無とセットされた棒金の金種および硬貨枚数の過不足とを識別可能な棒金有無・金種・過不足識別手段７０ａと、棒金有無・金種・過不足識別手段７０ａの出力に基づいて棒金の在り高を管理する管理手段とを有する。【選択図】図４
2008192079.tif 000002
【特許請求の範囲】
【請求項１】
筐体と、
該筐体に対し引き出しおよび収納可能に設けられるとともに、全金種の棒金をセット可能なセット部を複数有する棒金トレイと、
該棒金トレイのすべての前記セット部に設けられて棒金の有無とセットされた棒金の金種および硬貨枚数の過不足とをそれぞれ識別可能な棒金有無・金種・過不足識別手段と、
これら棒金有無・金種・過不足識別手段の出力に基づいて棒金の在り高を管理する管理手段とを有することを特徴とする棒金保管庫。
【請求項２】
前記筐体に対する前記棒金トレイの引き出された開状態から収納される閉状態への開閉切替を検知する収納検知手段を有し、該収納検知手段で前記開閉切替が検知されると前記管理手段が棒金の在り高を検出することを特徴とする請求項１記載の棒金保管庫。
【請求項３】
外部電源供給のオフからオンへのオフオン切替を検知する電源供給監視手段を有し、該電源供給監視手段で前記オフオン切替が検知されると前記管理手段が棒金の在り高を検出することを特徴とする請求項１または２記載の棒金保管庫。
【請求項４】
前記棒金有無・金種・過不足識別手段は、前記セット部にセットされた棒金の重量を検出する重量センサと、該重量センサで検出された棒金の重量に基づいて棒金の有無とセットされた棒金の金種および硬貨枚数の過不足とを識別する識別手段とを有することを特徴とする請求項１乃至３のいずれか一項記載の棒金保管庫。
【請求項５】
前記識別手段は、前記重量センサで検出された棒金の重量が、いずれかの金種の棒金の基準重量に対し各金種毎に予め設定された第一の許容範囲内で一致するか否かに基づいて棒金の金種を識別し、さらに、いずれかの金種の棒金の基準重量に対し各金種毎に予め設定された第二の許容範囲内で一致するか否かに基づいて棒金の硬貨枚数の過不足を識別することを特徴とする請求項４記載の棒金保管庫。
【請求項６】
前記棒金有無・金種・過不足識別手段が棒金に硬貨枚数の過不足ありと識別すると、警告を発する警告手段をさらに有することを特徴とする請求項１乃至５のいずれか一項記載の棒金保管庫。
【請求項７】
前記棒金有無・金種・過不足識別手段が棒金に硬貨枚数の過不足ありと識別すると、過不足ありの棒金がセットされたセット部を認識可能に表示する表示手段をさらに有することを特徴とする請求項１乃至６のいずれか一項記載の棒金保管庫。
【発明の詳細な説明】
【技術分野】
【０００１】
本発明は、棒金を必要に応じて取り出し可能に収納する棒金保管庫に関する。
【背景技術】
【０００２】
売上金の管理を行うＰＯＳレジに、売上金の入金および釣銭の出金を行うために入出金機を付設して、さらに、釣銭硬貨の補充用の棒金を保管する棒金保管庫を付設したものがある（例えば、特許文献１参照）。この棒金保管庫は、筐体と、筐体に対し引き出しおよび収納可能に設けられた棒金トレイとを有しており、筐体に対し引き出された状態の棒金トレイが筐体に収納される際に、筐体に対し棒金トレイとともに移動する棒金を筐体に設けられたセンサで走査して計数し、在り高管理を行うようになっている。
【特許文献１】特開２００６−８５３３２号公報
【発明の開示】
【発明が解決しようとする課題】
【０００３】
しかしながら、上記のように、棒金トレイの移動を利用しセンサで走査して棒金の計数を行うものであると、棒金トレイを引き出して戻さなければ在り高の検出ができず、任意のタイミングで棒金の在り高を検出できないという問題があった。
【０００４】
したがって、本発明は、任意のタイミングで棒金の在り高を検出することができる棒金保管庫の提供を目的とする。
【課題を解決するための手段】
【０００５】
上記目的を達成するために、請求項１に係る発明は、筐体と、該筐体に対し引き出しおよび収納可能に設けられるとともに、全金種の棒金をセット可能なセット部を複数有する棒金トレイと、該棒金トレイのすべての前記セット部に設けられて棒金の有無とセットされた棒金の金種および硬貨枚数の過不足とをそれぞれ識別可能な棒金有無・金種・過不足識別手段と、これら棒金有無・金種・過不足識別手段の出力に基づいて棒金の在り高を管理する管理手段とを有することを特徴としている。
【０００６】
請求項２に係る発明は、請求項１に係る発明において、前記筐体に対する前記棒金トレイの引き出された開状態から収納される閉状態への開閉切替を検知する収納検知手段を有し、該収納検知手段で前記開閉切替が検知されると前記管理手段が棒金の在り高を検出することを特徴としている。
【０００７】
請求項３に係る発明は、請求項１または２に係る発明において、外部電源供給のオフからオンへのオフオン切替を検知する電源供給監視手段を有し、該電源供給監視手段で前記オフオン切替が検知されると前記管理手段が棒金の在り高を検出することを特徴としている。
【０００８】
請求項４に係る発明は、請求項１乃至３のいずれか一項に係る発明において、前記棒金有無・金種・過不足識別手段は、前記セット部にセットされた棒金の重量を検出する重量センサと、該重量センサで検出された棒金の重量に基づいて棒金の有無とセットされた棒金の金種および硬貨枚数の過不足とを識別する識別手段とを有することを特徴としている。
【０００９】
請求項５に係る発明は、請求項４に係る発明において、前記識別手段は、前記重量センサで検出された棒金の重量が、いずれかの金種の棒金の基準重量に対し各金種毎に予め設定された第一の許容範囲内で一致するか否かに基づいて棒金の金種を識別し、さらに、いずれかの金種の棒金の基準重量に対し各金種毎に予め設定された第二の許容範囲内で一致するか否かに基づいて棒金の硬貨枚数の過不足を識別することを特徴としている。
【００１０】
請求項６に係る発明は、請求項１乃至５のいずれか一項に係る発明において、前記棒金有無・金種・過不足識別手段が棒金に硬貨枚数の過不足ありと識別すると、警告を発する警告手段をさらに有することを特徴としている。
【００１１】
請求項７に係る発明は、請求項１乃至６のいずれか一項に係る発明において、前記棒金有無・金種・過不足識別手段が棒金に硬貨枚数の過不足ありと識別すると、過不足ありの棒金がセットされたセット部を認識可能に表示する表示手段をさらに有することを特徴としている。
【発明の効果】
【００１２】
請求項１に係る発明によれば、棒金トレイが、全金種の棒金をセット可能なセット部を複数有しており、すべてのセット部に棒金の有無とセットされた棒金の金種および硬貨枚数の過不足とを識別可能な棒金有無・金種・過不足識別手段が設けられていて、管理手段は、各棒金有無・金種・過不足識別手段で対応するセット部における棒金の有無とセットされた棒金の金種および硬貨枚数の過不足とを検出することで棒金の在り高を検出することになる。このように、すべてのセット部に棒金の有無とセットされた棒金の金種および硬貨枚数の過不足とを検知する棒金有無・金種・過不足識別手段が設けられているため、任意のタイミングで棒金の在り高を検出することができる。また、棒金有無・金種・過不足識別手段がセット部における棒金の有無とセットされた棒金の金種および硬貨枚数の過不足とを検出するため、いずれのセット部にいずれの金種の棒金をセットしても在り高を誤って検出してしまうことがなく、セット作業が容易になる。さらに、棒金有無・金種・過不足識別手段がセット部における棒金の硬貨枚数の過不足を検出するため、硬貨枚数に過不足があった棒金を事前に排除扱いとし、在り高から除外することができる。
【００１３】
請求項２に係る発明によれば、筐体に対し引き出された棒金トレイが収納される開閉切替を収納検知手段が検知すると、管理手段が棒金の在り高を検出するため、棒金トレイの数が変わる棒金トレイの引き出し後の収納時に自動的に棒金の在り高を検出することができる。
【００１４】
請求項３に係る発明によれば、外部電源供給のオフからオンへのオフオン切替を電源供給監視手段が検知すると、管理手段が棒金の在り高を検出するため、例えば停電時や障害発生時等、外部電源供給がオフされる棒金管理が困難な状態が生じても、その後、電源供給が復旧した時点で即座に棒金の在り高を検出することができる。したがって、仮に棒金管理が困難な状態で管理上の問題が生じても即座に在り高を検出することで即座に対応可能となる。
【００１５】
請求項４に係る発明によれば、規定枚数のバラ硬貨を包装して構成される棒金は、金種を識別可能な程度の重量差を有しているため、識別手段が、セット部にセットされ重量センサで検出された棒金の重量を各金種の棒金の基準重量と比較することで、セット部における棒金の有無とセットされた棒金の金種とを識別する。さらに、枚数の過不足をも重量で識別する。したがって、簡素な構成で確実に、棒金の有無およびセットされた棒金の金種および硬貨枚数の過不足を検出することができる。
【００１６】
請求項５に係る発明によれば、識別手段は、重量センサで検出された棒金の重量が、いずれかの金種の棒金の基準重量に対し各金種毎に予め設定された第一の許容範囲内で一致するか否かに基づいて棒金の金種を識別し、さらに、いずれかの金種の棒金の基準重量に対し各金種毎に予め設定された第二の許容範囲内で一致するか否かに基づいて棒金の硬貨枚数の過不足を識別するため、簡易な制御構成で、セット部にセットされた棒金の金種と硬貨枚数の過不足とを識別することができる。
【００１７】
請求項６に係る発明によれば、棒金有無・金種・過不足識別手段が棒金に硬貨枚数の過不足ありと識別すると、警告手段が警告を発するため、硬貨枚数に過不足がある棒金の存在を操作者に認識させることができる。
【００１８】
請求項７に係る発明によれば、棒金有無・金種・過不足識別手段が棒金に硬貨枚数の過不足ありと識別すると、表示手段が、過不足ありの棒金がセットされたセット部を認識可能に表示するため、いずれの棒金に硬貨枚数の過不足があったかを容易に操作者に認識させることができる。したがって、この過不足棒金を操作者が容易に排除することができる。
【発明を実施するための最良の形態】
【００１９】
本発明の一実施形態の棒金保管庫を図面を参照して以下に説明する。
図１は、例えばスーパーマーケット等で用いられるレジ装置１１を示すもので、このレジ装置１１は、レジ係の操作者により操作されて売上金の管理を行うＰＯＳレジ１２の下側に、ＰＯＳレジ１２と連動して売上金の入金および釣銭の出金を行う貨幣入出金機１３が設けられ、貨幣入出金機１３の下側に釣銭硬貨の補充用として用いられる棒金を保管する本実施形態の棒金保管庫１４が設けられて構成されている。
【００２０】
ＰＯＳレジ１２は、図示略のバーコード読取機で読み取った商品のバーコードに基づき、商品の合計金額を計算する計算機能等を有する図２に示すＰＯＳレジ制御部２０と、操作者がバーコードの読取作業を終了させる際に操作する合計キーおよび操作者が顧客から預かった現金の金額を入力する際に操作する金額入力キー等を有する操作部２３と、計算した商品の合計金額や操作者への案内等を表示させるための表示部（警告手段・表示手段）２４、バーコードに対応した購入商品名、商品金額、商品の合計金額等をレシートに印刷するための印刷手段２５などが備えられている。
【００２１】
このＰＯＳレジ１２では、商品の計算が終了して、操作部２３の合計キーが押下された場合には、ＰＯＳレジ制御部２０によって、商品の合計金額を表示部２４に表示させた後、顧客から受け取った代金と、商品の購入金額との間の差額を計算し、更に、顧客からの代金と商品の購入金額との間に差額がある場合には、その差額の貨幣（紙幣、硬貨）を払い出す釣銭指令を出力する。
【００２２】
貨幣入出金機１３は、ＰＯＳレジ１２からの指示により入出金処理がそれぞれ行われる紙幣入出金機３０と、硬貨入出金機３１とを有しており、これらは操作者から見て左右（以下、単に左右という）に並設されている。
【００２３】
紙幣入出金機３０は、その機体の前面上部に設けられ、入金紙幣を受け入れるための入金口３３と、該入金口３３の下側に位置する機体前面に設けられた出金／リジェクト口３４と、入金口３３に投入された紙幣の入金処理および内部に収納した紙幣の出金／リジェクト口３４への出金処理等を行う図２に示す紙幣入出金機構部３５と、紙幣入出金機構部３５を制御する紙幣入出金制御部３６とを有している。
【００２４】
硬貨入出金機３１は、その機体の上部に設けられ、入金硬貨を受け入れるための入金口３８と、機体の前面下部に設けられ、出金硬貨を払い出す出金口３９と、入金口３８に投入された硬貨の入金処理および内部に収納した硬貨の出金口３９への出金処理等を行う図２に示す硬貨入出金機構部４０と、硬貨入出金機構部４０を制御する硬貨入出金制御部４１とを有している。
【００２５】
本実施形態の棒金保管庫１４は、その上面に貨幣入出金機１３が搭載される筐体５０と、この筐体５０から操作者側に引き出し可能および筐体５０内に収納可能に設けられた棒金トレイ５１とを有している。
【００２６】
ここで、棒金トレイ５１に収納される各金種の棒金について説明する。図３の図表に示すように、棒金の種類は、現状日本国内において、１円アルミニウム硬貨を５０枚集積して包装した１円棒金と、５円黄銅硬貨を５０枚集積して包装した５円棒金と、１０円青銅硬貨を５０枚集積して包装した１０円棒金と、５０円白銅硬貨を５０枚集積して包装した５０円棒金と、１００円白銅硬貨を５０枚集積して包装した１００円棒金と、５００円白銅硬貨を５０枚集積して包装した第１の５００円棒金と、５００円ニッケル黄銅硬貨を５０枚集積して包装した第２の５００円棒金とが取り扱われる可能性がある。
【００２７】
そして、材質について見てみると、５０円、１００円および第１の５００円は、成分が共通であって導電率も同じである一方、１円、５円、１０円および第２の５００円は、それぞれ成分が他とは異なっており導電率もそれぞれ異なっている。また、直径について見てみると、第１の５００円および第２の５００円が同じである一方、１円、５円、１０円、５０円および１００円は、他とは異なっている。さらに、棒金とした場合の重さについて見てみると、第１の５００円棒金と第２の５００円棒金とで差が小さいものの、すべて他とは異なっている。さらに、棒金長さについて見てみると、１円棒金、５円棒金および１０円棒金は同じであって、これら以外よりも短い一方、１００円棒金は、１円棒金、５円棒金および１０円棒金よりも若干長く、５０円棒金はさらに長く、第１の５００円棒金および第２の５００円棒金は、互いに同じでさらに長くなっている。
【００２８】
図１に示すように、筐体５０は、高さが低い略直方体の箱状のもので、操作者側となる前面に開口部５２が形成されている。
【００２９】
棒金トレイ５１には、左右両側の外側面に前後方向に沿って延在する一対の図示略のスライドレールが設けられ、これらスライドレールを介して筐体５０に摺動可能に支持されている。そして、筐体５０には、棒金トレイ５１が筐体５０内に収納された状態で棒金トレイ５１によりオンされ、それ以外の位置ではオフされる図２に示す閉位置スイッチ（収納検知手段）５８と、棒金トレイ５１が筐体５０内から引き出された所定位置に位置すると棒金トレイ５１によりオンされ、それ以外の位置ではオフされる引き出しスイッチ（収納検知手段）５９とが設けられており、これらが棒金保管庫制御部（棒金有無・金種・過不足識別手段，確認手段，管理手段，収納検知手段，電源供給監視手段）６０に接続されている。この棒金保管庫制御部６０は、引き出しスイッチ５９がオフからオンに切り替わってから所定時間内に閉位置スイッチ５８がオンされると、筐体５０に対する棒金トレイ５１の引き出された開状態から収納される閉状態への開閉切替を検知する。また、閉位置スイッチ５８がオンからオフに切り替わってから所定時間内に引き出しスイッチ５９がオンされると、筐体５０に対する棒金トレイ５１の閉状態から開状態への閉開切替を検知する。
【００３０】
棒金トレイ５１には、図４に示すように、全金種の棒金をセット可能な複数のセット部Ｓが、左右方向の一側および他側の二列に分けられて設けられている。左右方向の一側の複数のセット部Ｓは、それぞれ、棒金Ｂ１，Ｂ５，Ｂ１０，Ｂ５０，Ｂ１００，Ｂ５００のいずれか一つがその軸線を左右方向に沿わせた姿勢でセットされるもので、それぞれが左右方向の位置を一致させて引き出し方向に並設されている。また、左右方向の他側の複数のセット部Ｓも、それぞれ、棒金Ｂ１，Ｂ５，Ｂ１０，Ｂ５０，Ｂ１００，Ｂ５００のいずれか一つがその軸線を左右方向に沿わせた姿勢でセットされるもので、それぞれが左右方向の位置を一致させて引き出し方向に並設されている。ここで、左右方向の一側および他側の二列でセット部Ｓの数は同数となっている。また、引き出し方向前側からの配置順が同じとなる左右のセット部Ｓは、互いに引き出し方向の位置を一致させており、その結果、左右方向の一側の複数のセット部Ｓの全体と左右方向の他側の複数のセット部Ｓの全体とは引き出し方向の位置を一致させている。
【００３１】
上記した各セット部Ｓは、図５に示すように、下方に凹む凹形状をなして個別に昇降可能に設けられており、最大外径の棒金の外径よりも大径の円筒面状の底面６５と、この底面６５の軸線方向両側から最大長の棒金の長さよりも長い間隔をあけてそれぞれ立ち上がる一対の端面６６とを有していて、平面視長方形状の開口部を有している。なお、図５では、１０円硬貨の棒金Ｂ１０がセットされた状態を例示している。
【００３２】
そして、棒金トレイ５１のすべてのセット部Ｓには、それぞれ、セットされた棒金の重量を検出する重量センサ（棒金有無・金種・過不足識別手段）７０ａが設けられている。
【００３３】
すべての重量センサ７０ａの出力は、マルチプレクサ回路等を利用することで、時分割的に走査して識別処理可能となり、棒金保管庫制御部６０に送信される。ここで、すべてのセット部Ｓは、いずれもセットされる棒金Ｂ１，Ｂ５，Ｂ１０，Ｂ５０，Ｂ１００，Ｂ５００の金種が設定されておらず、いずれの金種の棒金をセットしても良いため、棒金保管庫制御部６０では、すべてのセット部Ｓに設けられた各重量センサ７０ａで検出される重量が、設定金種の棒金Ｂ１，Ｂ５，Ｂ１０，Ｂ５０，Ｂ１００，Ｂ５００のそれぞれの基準重量に対して金種毎に設定された所定の第一の許容範囲内で一致するものがあるか否かに基づいてセットされた棒金の金種を識別し、さらに、いずれかの金種の棒金の基準重量に対し各金種毎に予め設定された第二の許容範囲内で一致するか否かに基づいてセットされた棒金の硬貨枚数の過不足を識別する。
【００３４】
つまり、重量センサ７０ａで所定値以上の重量が検出されなければ棒金なしと判定し、重量センサ７０ａで所定値以上の重量が検出された場合、検出された重量を、１円棒金Ｂ１の基準重量、５円棒金Ｂ５の基準重量、１０円棒金Ｂ１０の基準重量、５０円棒金Ｂ５０の基準重量、１００円棒金Ｂ１００の基準重量および５００円棒金Ｂ５００の基準重量とそれぞれ比較し、いずれか一金種の基準重量との誤差が各金種毎に予め設定された第一の許容範囲内にあれば、その金種の棒金があると判定する一方、いずれの金種の基準重量に対しても誤差が第一の許容範囲内になければ、異常状態（棒金以外の物体のセット状態）にあると判定する。
【００３５】
さらに、検出された重量と、いずれか一金種の基準重量との誤差が第一の許容範囲内にあって、その金種の棒金があると判定した場合に、この金種の基準重量との誤差が第一の許容範囲よりも狭い第二の許容範囲内にあれば、その金種の過不足のない棒金があると判定する一方、第二の許容範囲内になければ過不足のある棒金があると判定する。さらに、過不足のある棒金があると判定した場合に、検出された重量が、第二の許容範囲に対し上側にずれていれば硬貨が規定枚数よりも過剰な硬貨過剰棒金があると判定し、第二の許容範囲に対し下側にずれていれば硬貨が規定枚数よりも少ない不足棒金があると判定する。ここで、第一の許容範囲の上限と第二の許容範囲の上限との差は例えば硬貨一枚分の重量とされ、第二の許容範囲の下限と第一の許容範囲の下限との差も例えば硬貨一枚分の重量とされる。
【００３６】
例えば、重量センサ７０ａで検出された重量と１円棒金Ｂ１の基準重量との誤差が、１円棒金Ｂ１に対し設定された第一の許容範囲内にあれば１円棒金Ｂ１が有ると判断し、その上で、１円棒金Ｂ１に対し設定された第二の許容範囲内にあれば、過不足のない１円棒金Ｂ１が有ると判断する一方、第二の許容範囲内になければ、過不足のある１円棒金Ｂ１が有ると判断する。さらに、過不足のある１円棒金Ｂ１が有ると判断した場合に、検出された重量が、第二の許容範囲に対し上側にずれていれば１円棒金Ｂ１の硬貨過剰棒金があると判定する一方、第二の許容範囲に対し下側にずれていれば１円棒金Ｂ１の硬貨不足棒金があると判定する。
【００３７】
同様に、重量センサ７０ａで検出された重量と５円棒金Ｂ５の基準重量との誤差が、５円棒金Ｂ５に対し設定された第一の許容範囲内にあれば５円棒金Ｂ５が有ると判断し、その上で、５円棒金Ｂ５に対し設定された第二の許容範囲内にあれば、過不足のない５円棒金Ｂ５が有ると判断する一方、第二の許容範囲内になければ、過不足のある５円棒金Ｂ５が有ると判断する。さらに、過不足のある５円棒金Ｂ５が有ると判断した場合に、検出された重量が、第二の許容範囲に対し上側にずれていれば５円棒金Ｂ５の硬貨過剰棒金があると判定する一方、第二の許容範囲に対し下側にずれていれば５円棒金Ｂ５の硬貨不足棒金があると判定する。
【００３８】
同様に、重量センサ７０ａで検出された重量と１０円棒金Ｂ１０の基準重量との誤差が、１０円棒金Ｂ１０に対し設定された第一の許容範囲内にあれば１０円棒金Ｂ１０が有ると判断し、その上で、１０円棒金Ｂ１０に対し設定された第二の許容範囲内にあれば、過不足のない１０円棒金Ｂ１０が有ると判断する一方、第二の許容範囲内になければ、過不足のある１０円棒金Ｂ１０が有ると判断する。さらに、過不足のある１０円棒金Ｂ１０が有ると判断した場合に、検出された重量が、第二の許容範囲に対し上側にずれていれば１０円棒金Ｂ１０の硬貨過剰棒金があると判定する一方、第二の許容範囲に対し下側にずれていれば１０円棒金Ｂ１０の硬貨不足棒金があると判定する。
【００３９】
同様に、重量センサ７０ａで検出された重量と５０円棒金Ｂ５０の基準重量との誤差が、５０円棒金Ｂ５０に対し設定された第一の許容範囲内にあれば５０円棒金Ｂ５０が有ると判断し、その上で、５０円棒金Ｂ５０に対し設定された第二の許容範囲内にあれば、過不足のない５０円棒金Ｂ５０が有ると判断する一方、第二の許容範囲内になければ、過不足のある５０円棒金Ｂ５０が有ると判断する。さらに、過不足のある５０円棒金Ｂ５０が有ると判断した場合に、検出された重量が、第二の許容範囲に対し上側にずれていれば５０円棒金Ｂ５０の硬貨過剰棒金があると判定する一方、第二の許容範囲に対し下側にずれていれば５０円棒金Ｂ５０の硬貨不足棒金があると判定する。
【００４０】
同様に、重量センサ７０ａで検出された重量と１００円棒金Ｂ１００の基準重量との誤差が、１００円棒金Ｂ１００に対し設定された第一の許容範囲内にあれば１００円棒金Ｂ１００が有ると判断し、その上で、１００円棒金Ｂ１００に対し設定された第二の許容範囲内にあれば、過不足のない１００円棒金Ｂ１００が有ると判断する一方、第二の許容範囲内になければ、過不足のある１００円棒金Ｂ１００が有ると判断する。さらに、過不足のある１００円棒金Ｂ１００が有ると判断した場合に、検出された重量が、第二の許容範囲に対し上側にずれていれば１００円棒金Ｂ１００の硬貨過剰棒金があると判定する一方、第二の許容範囲に対し下側にずれていれば１００円棒金Ｂ１００の硬貨不足棒金があると判定する。
【００４１】
同様に、重量センサ７０ａで検出された重量と５００円棒金Ｂ５００の基準重量との誤差が、５００円棒金Ｂ５００に対し設定された第一の許容範囲内にあれば５００円棒金Ｂ５００が有ると判断し、その上で、５００円棒金Ｂ５００に対し設定された第二の許容範囲内にあれば、過不足のない５００円棒金Ｂ５００が有ると判断する一方、第二の許容範囲内になければ、過不足のある５００円棒金Ｂ５００が有ると判断する。さらに、過不足のある５００円棒金Ｂ５００が有ると判断した場合に、検出された重量が、第二の許容範囲に対し上側にずれていれば５００円棒金Ｂ５００の硬貨過剰棒金があると判定する一方、第二の許容範囲に対し下側にずれていれば５００円棒金Ｂ５００の硬貨不足棒金があると判定する。
【００４２】
そして、棒金保管庫制御部６０は、すべての重量センサ７０ａの検出結果に基づいて棒金保管庫１４内の棒金の在り高を検出する。なお、各金種の上記した第一の許容範囲は、いずれも他の金種の第一の許容範囲とは重ならないように設定されている。
【００４３】
ここで、棒金保管庫制御部６０は、ＰＯＳレジ制御部２０に通信可能に接続されており、このＰＯＳレジ制御部２０には、さらに紙幣入出金制御部３６および硬貨入出金制御部４１が通信可能に接続されている。ＰＯＳレジ制御部２０は、外部電源から電力供給を受けて、紙幣入出金制御部３６、硬貨入出金制御部４１および棒金保管庫制御部６０にそれぞれ電力を供給することになる。ＰＯＳレジ制御部２０は、すべてのレジ装置１１を統括するシステム管理装置７１に通信可能に接続されている。
【００４４】
そして、棒金保管庫制御部６０は、筐体５０に対する棒金トレイ５１の引き出された開状態から収納される閉状態への開閉切替を引き出しスイッチ５９がオフからオンに切り替わってから閉位置スイッチ５８がオンされたことにより検出すると、すべての重量センサ７０ａの検出値に基づく棒金の検知の有無、金種識別結果および過不足検知結果に基づいて、棒金保管庫１４内の棒金の在り高を検出する。つまり、筐体５０に対して棒金トレイ５１が引き出されると、硬貨入出金機３１への補充のために複数のセット部Ｓのいずれか対応するものから棒金を取り出したり、あるいはセット部Ｓのいずれか対応するものに棒金Ｂ１，Ｂ５，Ｂ１０，Ｂ５０，Ｂ１００，Ｂ５００のいずれかを追加収納したり等、棒金トレイ５１の棒金Ｂ１，Ｂ５，Ｂ１０，Ｂ５０，Ｂ１００，Ｂ５００の在り高が変化する可能性が高いため、棒金トレイ５１が引き出された後に筐体５０に収納されると、この時点で在り高を検出するのである。
【００４５】
このような在り高の検出時に、異常状態とされたセット部Ｓおよび過不足棒金ありとされたセット部Ｓについては、棒金の在り高検出から除外するとともに、ＰＯＳレジ制御部２０に向かって信号を送信し、これを受けてＰＯＳレジ制御部２０は、異常状態とされたセット部Ｓを異常状態である旨とともに表示部２４に表示させて警告を行い、硬貨過剰棒金ありとされたセット部Ｓを、セットされた硬貨の金種および硬貨過剰棒金がある旨とともに表示部２４に表示させて警告を行い、硬貨不足棒金ありとされたセット部Ｓを、セットされた硬貨の金種および硬貨不足棒金がある旨とともに表示部２４に表示させて警告を行う。つまり、表示部２４は、棒金に硬貨枚数の過不足ありと識別すると、警告を発するとともに、過不足ありの棒金がセットされたセット部を認識可能に表示する。なお、各セット部Ｓにランプ等を付設して異常のあったセット部Ｓに対応するランプに異常の種類毎に異なる表示を行わせても良い。
【００４６】
また、棒金保管庫制御部６０は、ＰＯＳレジ制御部２０を介しての外部電源供給のオフからオンへのオフオン切替を検知すると、すべての重量センサ７０ａの検出値に基づく棒金の検知の有無および金種識別結果に基づいて棒金保管庫１４内の棒金の在り高を検出する。つまり、例えば停電時や障害発生時等、外部電源供給がオフされて棒金管理が困難な管理上不安定な状態が生じた場合には、その後、電源供給が復旧した時点で即座に棒金保管庫１４内の棒金の在り高を上記と同様に検出する。
【００４７】
そして、棒金保管庫制御部６０は、検出した棒金の在り高を、ＰＯＳレジ制御部２０に送信することになり、ＰＯＳレジ制御部２０では、この棒金保管庫１４内の棒金の在り高を更新記憶するとともに、棒金の在り高をシステム管理装置７１に出力する。ここで、ＰＯＳレジ制御部２０では、例えば操作部２３への適宜の操作入力があるとその時点の棒金の在り高を表示部２４に表示させる。また、システム管理装置７１では、各レジ装置１１毎に送信された棒金の在り高情報から次の棒金補充時に準備するべき各金種毎の棒金の数等を割り出して表示させることになり、これに基づいて補充作業者は棒金を準備する。また、システム管理装置７１では、各レジ装置１１毎に棒金がすべて取り出された金種があるか否かを監視しており、棒金がすべて取り出された要補充金種があるレジ装置１１が生じた場合には、アラームを発生させ、当該レジ装置１１への要補充金種の追加を促す。
【００４８】
以上に述べた本実施形態によれば、棒金トレイ５１が、全金種の棒金Ｂ１，Ｂ５，Ｂ１０，Ｂ５０，Ｂ１００，Ｂ５００をセット可能なセット部Ｓを複数有しており、すべてのセット部Ｓに、棒金の有無とセットされた棒金の金種および硬貨枚数の過不足とを識別可能な重量センサ７０ａが設けられていて、棒金保管庫制御部６０は、各重量センサ７０ａで対応するセット部Ｓにおける棒金の有無と、セットされた棒金の金種および硬貨枚数の過不足とを検出することで棒金Ｂ１，Ｂ５，Ｂ１０，Ｂ５０，Ｂ１００，Ｂ５００の在り高を検出することになる。このように、すべてのセット部Ｓに、棒金の有無と、セットされた棒金の金種および硬貨枚数の過不足とを検知する重量センサ７０ａが設けられているため、任意のタイミングで棒金の在り高を検出することができる。
【００４９】
また、重量センサ７０ａがセット部Ｓにおける棒金の有無と、セットされた棒金の金種および硬貨枚数の過不足とを検出するため、いずれのセット部Ｓにいずれの金種の棒金をセットしても在り高を誤って検出してしまうことがなく、セット作業が容易になる。
【００５０】
しかも、重量センサ７０ａがセット部Ｓにおける棒金の硬貨枚数の過不足を検出するため、硬貨枚数に過不足があった棒金を事前に排除扱いとし、在り高から除外することができる。
【００５１】
さらに、筐体５０に対し引き出された棒金トレイ５１が収納される開閉切替を、閉位置スイッチ５８および引き出しスイッチ５９の検出結果で検知すると、棒金保管庫制御部６０が棒金の在り高を検出するため、棒金トレイ５１の数が変わる棒金トレイ５１の引き出し後の収納時に自動的に棒金の在り高を検出することができる。つまり、在り高が変化することのないタイミングで在り高検出を不必要に行ってしまうことがなく、在り高を効率良く検出することができる。
【００５２】
加えて、棒金保管庫制御部６０は、外部電源供給のオフからオンへのオフオン切替を検知すると、棒金の在り高を検出するため、例えば停電時や障害発生時等、外部電源供給がオフされる棒金管理が困難な状態が生じても、その後、電源供給が復旧した時点で即座に棒金の在り高を検出することができる。したがって、仮に棒金管理が困難な状態で管理上の問題が生じても即座に在り高を検出することで即座に対応可能となる。
【００５３】
さらに、規定枚数のバラ硬貨を包装して構成される棒金は、金種を識別可能な程度の重量差を有しているため、棒金保管庫制御部６０が、各セット部Ｓにセットされそれぞれの重量センサ７０ａで検出された棒金の重量を各金種の棒金の基準重量と比較することで、セット部Ｓにおける棒金の有無およびセットされた棒金の金種を識別する。さらに、枚数の過不足をも重量で識別する。したがって、簡素な構成で確実に、棒金の有無、セットされた棒金の金種および硬貨枚数の過不足を検出することができる。
【００５４】
加えて、棒金保管庫制御部６０は、重量センサ７０ａで検出された棒金の重量が、いずれかの金種の棒金の基準重量に対し各金種毎に予め設定された第一の許容範囲内で一致するか否かに基づいて棒金の金種を識別し、さらに、いずれかの金種の棒金の基準重量に対し各金種毎に予め設定された第二の許容範囲内で一致するか否かに基づいて棒金の硬貨枚数の過不足を識別するため、簡易な制御構成で、セット部Ｓにセットされた棒金の金種と過不足とを識別することができる。
【００５５】
さらに、棒金保管庫制御部６０が棒金に硬貨枚数の過不足ありと識別すると、表示部２４が警告を発するため、硬貨枚数に過不足がある棒金の存在を操作者に認識させることができる。
【００５６】
加えて、棒金保管庫制御部６０が棒金に硬貨枚数の過不足ありと識別すると、表示部２４が、過不足ありの棒金がセットされたセット部Ｓを認識可能に表示するため、いずれの棒金に硬貨枚数の過不足があったかを容易に操作者に認識させることができる。したがって、この過不足棒金を操作者が容易に排除することができる。
【図面の簡単な説明】
【００５７】
【図１】本発明の一実施形態の棒金保管庫が適用されたレジ装置の全体斜視図である。
【図２】本発明の一実施形態の棒金保管庫が適用されたレジ装置の制御系ブロック図である。
【図３】各金種の棒金の各データを示す図表である。
【図４】本発明の一実施形態の棒金保管庫の棒金トレイを示す平面図である。
【図５】本発明の一実施形態の棒金保管庫のセット部を示すもので、（ａ）は側断面図、（ｂ）は正断面図である。
【符号の説明】
【００５８】
１４  棒金保管庫
５０  筐体
５１  棒金トレイ
５８  閉位置スイッチ（収納検知手段）
５９  引き出しスイッチ（収納検知手段）
６０  棒金保管庫制御部（棒金有無・金種・過不足識別手段，確認手段，管理手段，収納検知手段，電源供給監視手段）
７０ａ  重量センサ（棒金有無・金種・過不足識別手段）
Ｂ１，Ｂ５，Ｂ１０，Ｂ５０，Ｂ１００，Ｂ５００  棒金
Ｓ  セット部
【図１】
2008192079.tif 000003
【図２】
2008192079.tif 000004
【図３】
2008192079.tif 000005
【図４】
2008192079.tif 000006
【図５】
2008192079.tif 000007